Podtech/llm-jp-corpus-v4-ja_patent huggingface dataset:
【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  スクシンイミドタイプの分散剤添加剤ｘ重量％、スルホネートタイプの過剰塩基（ｏｖｅｒｂａｓｅｄ）清浄剤添加剤ｙ重量％およびフェナートタイプの過剰塩基清浄剤添加剤ｚ重量％を含む潤滑性塩基として用いられる留出液の混合物からなり、ｘ、ｙおよびｚが１５＜ｘ＋ｙ＋ｚ＜３６および１．５＜ｙ／ｘ＜５であるように０．５＜ｘ＜２．５、３．５＜ｙ＜１０および１１＜ｚ＜２４．５の範囲内で選択され、ＡＳＴＭ規格Ｄ−２８９６に準拠し測定して潤滑剤のＢＮが７０ｍｇＫＯＨ／ｇ以上であることを特徴とする、硫黄含有率１％以上の燃料を供給される低速度二ストローククロスヘッド船舶用エンジンの潤滑剤。
【請求項２】  前記スルホネートタイプの過剰塩基清浄剤が、ＡＳＴＭ規格Ｄ−２８９６により測定してＢＮ値が３００〜５００ｍｇＫＯＨ／ｇの範囲である、石油スルホン酸および長鎖アルキルアリールスルホン酸の中性および塩基性アルカリ金属塩およびアルカリ土類金属塩からなる群から選択される、請求項１に記載の潤滑剤。
【請求項３】  前記スルホネートタイプの過剰塩基清浄剤が、各アルキル基が１２〜１８個の炭素原子を含むと共にアリール基がベンジル、トリルまたはキシリルであるアルカリ土類金属アルキルアリールスルホネート、好ましくはカルシウムモノ−およびジアルキルアリールスルホネートである、請求項２に記載の潤滑剤。
【請求項４】  スクシンイミド系分散剤がポリアルケニルスクシンイミドボレートよりなる群から選ばれ、該化合物は、Ｃ３またはＣ４オレフィン好ましくは平均分子量１０００から３０００であるポリイソブチレンと、ジエチレントリアミン、トリエチレンテトラアミン、テトラエチレンペンタアミン及びそれらの混合物よりなる群から選ばれるポリアルキレンポリアミンと反応したコハク酸または酸無水物とから誘導され、ポリアルケニル基毎に１から２のスクシンイミド基が対応していることを特徴とする、請求項１〜３のいずれか１項に記載の潤滑剤。
【請求項５】  前記フェナートタイプの過剰塩基清浄剤が、直鎖または分岐アルキル基が４〜５０個の炭素原子、好ましくは９〜１５個の炭素原子を含むアルキルフェノールおよびアルキルメルカプトフェノールのアルカリ金属フェナートおよびアルカリ土類金属フェナートからなる群から選択され、単独または混合物として用いられて、ＡＳＴＭ規格Ｄ−２８９６により測定して前記フェナートタイプの過剰塩基清浄剤のＢＮ値が５０〜４００ｍｇＫＯＨ／ｇの範囲となる、請求項１から４のいずれか１項に記載の潤滑剤。
【請求項６】  前記フェナートタイプの過剰塩基清浄剤が、アルキル基が９〜１５個の炭素原子を含みＢＮが２００〜４００ｍｇＫＯＨ／ｇの範囲であるカルシウムアルキルメルカプトフェナート９５〜１００重量％、およびアルキル基が９〜１５個の炭素原子を含みＢＮが１５０ｍｇＫＯＨ／ｇ未満であるカルシウムアルキルメルカプトフェナート０〜５重量％からなる、請求項５に記載の潤滑剤。
【請求項７】  潤滑剤が１．１〜１．８スクシンイミド基当たり一個のポリイソブチレン基を含むポリイソブチレンスクシンイミドｘ重量％、ＢＮが３００〜５００ｍｇＫＯＨ／ｇの間であるカルシウムスルホネートｙ重量％、カルシウムアルキルメルカプトフェナートの混合物ｚ重量％、および１５℃における比重が８５０〜９５０ｋｇ／ｍ３の範囲である潤滑性鉱物塩基からなる炭化水素の混合物６４〜８５重量％を含む、請求項１から６のいずれか１項に記載の潤滑剤。
【請求項８】  潤滑剤がその他の添加剤、特に消泡用添加剤０〜１重量％を含む、請求項１から７のいずれか１項に記載の潤滑剤。
【手続補正２】
【補正対象書類名】明細書
【補正対象項目名】００１６
【補正方法】変更
【補正の内容】
【００１６】
スルホネートタイプのこれらの過剰塩基清浄剤は、Ｃ３またはＣ４オレフィン好ましくは平均分子量１０００から３０００であるポリイソブチレンと、ジエチレントリアミン、トリエチレンテトラアミン、テトラエチレンペンタアミン及びそれらの混合物よりなる群から選ばれるポリアルキレンポリアミンと反応したコハク酸または酸無水物とから誘導される、ポリアルケニル基毎に１から２のスクシンイミド基が対応しているポリアルケニルスクシンイミドボレートを含む群からのスクシンイミド誘導体よりなる群から選択されるスクシンイミドタイプの少なくとも一種の分散剤と併せて用いられるときに、潤滑剤膜中の硫酸の中和に関して有効である。
【手続補正３】
【補正対象書類名】明細書
【補正対象項目名】００３５
【補正方法】削除
【補正の内容】
【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】  インターネットに接続されるコンピュータのようなユーザコンピュータデバイスとサーバコンピュータデバイスと、またはＣＤ−ＲＯＭ、ネットワークコンピュータ、対話式テレビのようなその他の送信／受信デバイスとのネットワークを構成するコンピュータ環境においてフレシキブルで効率的な教育システムまたは分配システムを開発する方法において、
命令セットは、サーバコンピュータデバイスから分配されるデータと、ユーザコンピュータデバイスに格納されているデータとの両方を処理するために使用されるので、ユーザコンピュータデバイス、および／またはサーバコンピュータ、またはその他の送信デバイスに格納され、データから完全にまたは部分的に分離されて分配されるもしくはデータと一緒に分配されることが可能である命令セットによって該システムが開発されることを特徴とするフレシキブルで効率的な教育システムまたは分配システムを開発する方法。
【請求項２】  命令セットとデータをコピーする機会を随意に防ぐことができる方法で、命令セットがユーザコンピュータデバイスに格納され、ユーザに指定されていることを特徴とする請求項１に記載の方法。
【請求項３】  命令セットが、「概略マップ」、「独学」、「講義」、「グループコラボレーション」、「ブラウザ」、「一般的な命令」のような教育トピックを管理し実行することと関連があることを特徴とする請求項１または２に記載の方法。
【請求項４】  命令セットがナリッジトランスフォーメーションプロセスを作成し編集するために組織されたことを特徴とする請求項１から３のいずれか１つに記載の方法。
【請求項５】  教育プログラムが、ビデオ、一連の音声と画像、テキスト、グラフィック、または音声プログラムのような１つまたは複数の情報タイプの統合によるマルチメディアとして表現されることを特徴とする請求項３に記載の方法。
【請求項６】  教育プログラムが、１人または複数のユーザとマルチメディア間のダイアログとして、またはマルチメディアを介する１人もしくは複数のユーザ間のダイアログとして表されることを特徴とする請求項１から５のいずれか１つに記載の方法。
【請求項７】  複数のユーザが同時に教育プログラムに接続することができることを特徴とする請求項１から５のいずれか１つに記載の方法。
【請求項８】  例えば教育コンテンツである、インデックスのような静的な関数式と関連するコンテンツの形式にあるデータだけが、サーバコンピュータまたはその他の送信デバイスから転送されることを特徴とする前記請求項のいずれか１つに記載の方法。
【請求項９】  教育プログラムが実行されているとき、データがサーバコンピュータデバイスまたはその他の送信デバイスで頻繁に更新されることを特徴とする前記請求項のいずれか１つに記載の方法。
【手続補正２】
【補正対象書類名】明細書
【補正対象項目名】００１３
【補正方法】変更
【補正の内容】
【００１３】
さらにできる限り最善のコース構成にすることができることは、請求項４に記載されているように以下の利点を有する。その利点は、命令セットがナリッジトランスフォーメーションプロセスの作成、編集、管理、分析、使用のために組織化されることである。
【手続補正３】
【補正対象書類名】明細書
【補正対象項目名】００１５
【補正方法】変更
【補正の内容】
【００１５】
「リアルライフ」の教育状況をコンピュータ環境における教育状況にさらに置き換えるために、請求項５に記載されているように以下のことが適切である。それは、プログラムが、ビデオ、一連の音声と画像、テキスト、グラフィック、または音声プログラムのような１つまたは複数の情報タイプの統合によるマルチメディアとして表されることである。
【手続補正４】
【補正対象書類名】明細書
【補正対象項目名】００１６
【補正方法】変更
【補正の内容】
【００１６】
上記に記載されているように、プログラムがマルチメディアオブジェクトとして表されているので、本発明は、１人または複数のユーザとマルチメディア間のダイアログとして、またはマルチメディアを介する１人もしくは複数のユーザ間のダイアログとして表されることによってさらに柔軟なものになる。
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
ウェブ・アプリケーションにアクセスするというユーザ要求に応答する関連ポートレットの集合を管理するポータル・サーバ・システムのための装置であって、
前記関連するポートレットのユーザ要求からのパラメータであって、前記各ポートレットのポートレット・セッションに含まれるユーザ・セッション情報を含む前記パラメータを保存するポートレット・アプリケーション・セッション手段と、
前記ポートレット・アプリケーション・セッション手段にリンクされ、前記関連するポートレットの集合の各ポートレットと前記ウェブ・アプリケーションとの間で通信して、前記関連するポートレットの集合の各ポートレットから受信された、前記ユーザ・セッション情報を含む前記ユーザ要求を、前記ウェブ・アプリケーションに搬送するポートレット・アプリケーション通信クライアントとを含む装置。
【請求項２】
前記ポートレット・アプリケーション通信クライアントが、前記ユーザ・セッション情報を格納するユーザ・セッション情報ストアを含む請求項１に記載の装置。
【請求項３】
前記ユーザ・セッション情報ストアは、前記ユーザ・セッション情報を、前記ウェブ・アプリケーションの対応するセッションにマッピングする情報を含む請求項２に記載の装置。
【請求項４】
前記ユーザ・セッション情報が、ユーザｉｄ、ユーザ証明書、言語プリファレンス、セッション・タイムアウト情報、セッションｉｄを含むセットから選択され、前記ユーザ・セッション情報が前記ウェブ・アプリケーションの対応するセッションにマッピングされる請求項３に記載の装置。
【請求項５】
前記セッション・タイムアウト情報が、前記ポータル・サーバ・システムおよび前記ウェブ・アプリケーションのセッション・タイムアウト情報を含む、請求項４に記載の装置。
【請求項６】
前記ウェブ・アプリケーションが前記ポータル・サーバ・システムより前にタイムアウトする場合、前記ユーザ・セッション情報ストア内に格納された情報から前記ユーザを再認証することによって前記ポータル・サーバと前記ウェブ・アプリケーションの間のセッション・タイムアウトを合致させる前記ポートレット・アプリケーション通信クライアント用の同期手段をさらに含む請求項５に記載の装置。
【請求項７】
ポータル・サーバ・システムにおいて実行される、ウェブ・アプリケーションにアクセスするというユーザ要求に応答する関連ポートレットの集合を管理するための方法であって、
前記関連するポートレットの集合の各ポートレットに対するユーザ要求からのパラメータであって、前記各ポートレットのポートレット・セッションに含まれるユーザ・セッション情報を含む前記パラメータを保存するステップと、
前記関連するポートレットの集合の各ポートレットと前記ウェブ・アプリケーションとの間で通信し、前記保存した前記ユーザ・セッション情報を含む前記パラメータを使用しすることにより、前記ユーザ要求を前記ウェブ・アプリケーションに搬送するステップと
を含む方法。 
【請求項８】
コンピュータを請求項１ないし６のいずれかに記載の装置として機能させるためのプログラムを記録したコンピュータ読み取り可能な記録媒体。
【誤訳訂正書】
【提出日】平成19年8月3日(2007.8.3)
【誤訳訂正１】
【訂正対象書類名】特許請求の範囲
【訂正対象項目名】全文
【訂正方法】変更
【訂正の内容】
【特許請求の範囲】
【請求項１】
長さと中心線を有するエラストマー本体と、
前記本体に埋設され、２又はそれ以上の抗張心線層の積層体である抗張部材とを備え、
前記抗張心線層それぞれは、所定方向に配向される複数の平行なたて糸と、前記たて糸よりも低いデニールを有する、前記所定方向に所定間隔で並べられる複数のよこ糸とを備える織物材料であることを特徴とするベルト。
【請求項２】
ストランド毎の荷重が０〜３５０ニュートンの範囲において、上限が６．８％の長さの伸び率を有する請求項１に記載のベルト。
【請求項３】
前記複数の抗張心線層は、第１及び第２の抗張心線層を含み、
前記第１及び第２の抗張心線層それぞれは、第１及び第２のたて糸を含み、
前記第１及び第２のたて糸は互いに異なる方向に配向されることを特徴とする請求項１に記載のベルト。
【請求項４】
前記第１のたて糸は前記中心線に対して傾けられて配置されるとともに、第２のたて糸は前記中心線に対して前記第１のたて糸とは反対に傾けられて配置されることを特徴とする請求項３に記載のベルト。
【請求項５】
前記第１及び第２の抗張心線層は互いに隣接していることを特徴とする請求項３に記載のベルト。
【請求項６】
前記第１及び第２のたて糸は、パントグラフ形状を示すことを特徴とする請求項２に記載のベルト。
【請求項７】
前記複数のたて糸は、前記中心線に対して０°より大きい角度で傾けられて配置されることを特徴とする請求項１に記載のベルト。
【請求項８】
前記複数の平行なたて糸は、前記中心線に対して実質的に平行であることを特徴とする請求項１に記載のベルト。
【請求項９】
ベルトの長手方向において測定され１２００Ｎ／ｍｍ未満のベルト幅に関するモジュラスを有する請求項１に記載のベルト。
【請求項１０】
ベルトの長手方向において測定され１５００Ｎ／ｍｍ未満のベルト幅に関するモジュラスを有する請求項１に記載のベルト。
【請求項１１】
１％と５％の伸び率の間で計算される応力−歪み曲線の平均傾きであるモジュラスを有し、前記モジュラスは１５００Ｎ／ｍｍ未満であることを特徴とする請求項１に記載のベルト。
【請求項１２】
長さと中心線を有するエラストマー本体と、
前記本体に埋設され、複数の抗張心線層の積層体である抗張部材とを備えるベルトのモジュラスの設定方法であって、
前記抗張心線層それぞれは、所定方向に配向される複数の平行なたて糸と、前記たて糸よりも低いデニールを有する、前記所定方向に所定間隔で並べられる複数のよこ糸とを備える織物材料であって、
前記モジュラスは、ベルトの長手方向において測定されたモジュラスであって、
前記モジュラスは、前記抗張心線層の数及び前記抗張心線層のたて糸の前記各中心線に対する傾き角度の少なくとも一方を調整することにより設定されることを特徴とするベルトのモジュラスの設定方法。
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
長手軸を有する電気接点であって、
（ａ）第１の端部（１４）および第２の端部（３０）を有し、前記第１の端部（１４）がその中に有界開口部（１６）を有する実質的に管状の中空本体（１２）であって、前記中空本体（１２）が少なくとも２つの細長いスロット（２０）および少なくとも２つの接点部材（２２）を有し、前記細長いスロット（２０）および前記接点部材（２２）が前記長手軸（ｚ）に沿って配置され、各接点部材（２２）の外面が前記中空本体（１２）の長さに沿って前記長手軸（ｚ）に対して凹面を成す複合曲線を有する中空本体（１２）と、
（ｂ）前記中空本体（１２）の前記第２の端部（３０）に隣接して配置されるハンダカップ（３４）であって、前記中空本体（１２）の前記第２の端部（３０）に対して末端にフレア部分（３６）を有するハンダカップ（３４）と、を具備する電気接点。
【請求項２】
長手軸を有する電気接点であって、
（ａ）第１の端部（１４）および第２の端部（３０）を有し、前記第１の端部（１４）が有界開口部（１６）を有する実質的に管状の中空本体（１２）であって、少なくとも２つの細長いスロット（２０）および少なくとも２つの接点部材（２２）を有し、前記細長いスロット（２０）および前記接点部材（２２）が前記長手軸（ｚ）に沿って配置され、少なくとも１つの前記接点部材（２２）の外面が中空本体（１２）の長さに沿って前記長手軸（ｚ）に対して複合曲線を有する中空本体（１２）と、
（ｂ）前記中空本体（１２）の前記第２の端部（３０）に隣接して配置されるハンダカップ（３４）と、を具備し、
（ｃ）前記電気接点が打抜かれ、金属基板から成形される電気接点。
【請求項３】
同軸ケーブル（４０）に実装され、導電シェル（６０）に配置される電気接点を具備し、
前記電気接点（１０）が、長手軸（ｚ）を有すると共に、（ｉ）第１の端部（１４）および第２の端部（３０）を有し、前記第１の端部（１４）が有界開口部（１６）を有する実質的に管状の中空本体（１２）であって、前記長手軸（ｚ）に沿って配置される少なくとも２つの細長いスロット（２０）および少なくとも２つの接点部材（２２）を有し、少なくとも１つの前記接点部材（２２）が中空本体（１２）の長さに沿って前記長手軸（ｚ）に対して凹面を成す複合曲線を有する中空本体（１２）と、（ｉｉ）前記中空本体（１２）の前記第２の端部（３０）に隣接して配置されるハンダカップ（３４）であって、前記中空本体（１２）の前記第２の端部（３０）に対して末端に少なくとも１つのフレア部分（３６）を有するハンダカップ（３４）と、を具備し、
前記同軸ケーブル（４０）が、中央の信号導体（４２）、前記中央の信号導体（４２）の周囲に巻き付けられるフィラメント（４３）、前記中央の信号導体（４２）および前記フィラメント（４３）を包囲するコアチューブ（４４）、前記コアチューブ（４４）を保護する少なくとも１層の金属ワイヤ（４６）および前記金属ワイヤ層（４６）を包囲する外装（４８）を具備し、
前記電気接点（１０）における前記フレア部分（３６）が前記同軸ケーブルの前記コアチューブ（４４）に当接し、前記同軸ケーブル中の前記中央の信号導体（４２）が前記電気接点の前記ハンダカップ（３４）の少なくとも一部に配置される終端処理された電気コネクタ。
【請求項４】
同軸ケーブル（４０）と共に用いられると共に、該同軸ケーブル（４０）は、中央の信号導体（４２）と、該信号導体（４２）を取り囲む絶縁性のコアチューブ（４４）とを備えた、電気コネクタ（１）であって、信号導体（４２）とコアチューブ（４４）との間にギャップが設けられた電気コネクタ（１）にして、
第１の端部（１４）と第２の端部（３０）とを備えた実質的に管状の中空本体（１２）と、
該中空本体（１２）の第２の端部（３０）に隣接して配置されたハンダカップであって、中空本体（１２）の第２の端部（３０）に対して末端に位置するフレア部を備えたハンダカップ（３４）と、を有し、
上記フレア部は、上記信号導体（４２）と上記コアチューブ（４４）との間の所定距離（ｄ）を有するギャップに跨るように構成された、電気コネクタ。
【請求項５】
上記フレア部は、上記同軸ケーブル（４０）の上記コアチューブ（４４）に当接するように構成され、
上記ハンダカップ（３４）は、同軸ケーブル（４０）の上記信号導体（４２）の少なくとも一部分を受け入れるように構成された、請求項４記載の電気コネクタ。
【請求項６】
上記ハンダカップ（３４）の上記フレア部は、径方向に延在する少なくとも１つの位置決めアーム（３６）を有する、請求項４記載の電気コネクタ。
【請求項７】
上記ハンダカップ（３４）の上記フレア部は、該ハンダカップ（３４）の外周の回りに延在する、請求項４記載の電気コネクタ。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
黒色腫細胞中のクラステリンの有効量を減少させるのに有効な治療薬を含む、哺乳動物個体における黒色腫を治療するための医薬組成物。
【請求項２】
前記治療薬が、黒色腫細胞中のクラステリンの有効量を減少させるのに有効なアンチセンスオリゴデオキシヌクレオチドである、請求項1に記載の医薬組成物。
【請求項３】
前記アンチセンスオリゴデオキシヌクレオチドが、翻訳開始部位又は終結部位のいずれかに対応する請求項2に記載の医薬組成物。
【請求項４】
前記アンチセンスオリゴデオキシヌクレオチドが、同じ配列の非修飾オリゴデオキシヌクレオチドに比較してインビボでの安定性を増強するように修飾されている請求項2又は3に記載の医薬組成物。
【請求項５】
前記修飾が（2'-O-(2-メトキシエチル)）修飾である、請求項4に記載の医薬組成物。
【請求項６】
前記アンチセンスオリゴデオキシヌクレオチドが、本質的に配列番号2から12からなる群から選択されるオリゴデオキシヌクレオチドのみからなる、請求項1〜5のいずれか1項に記載の医薬組成物。
【請求項７】
前記アンチセンスオリゴデオキシヌクレオチドが、本質的に配列番号4からなるオリゴデオキシヌクレオチドのみからなる、請求項6に記載の医薬組成物。
【請求項８】
前記オリゴヌクレオチドが全体にチオリン酸骨格を有し、そのヌクレオチド1〜4及び18〜21の糖分子である「ウイング」は、2'-O-メトキシエチル修飾を受けており、残りのヌクレオチドは2'-デオキシヌクレオチドである、請求項7に記載の医薬組成物。
【請求項９】
前記治療薬が、RNAi機構により黒色腫細胞中のクラステリンの有効量を減少させるのに有効なRNA分子である請求項1に記載の医薬組成物。
【請求項１０】
前記RNA分子が、本質的に配列番号20から25からなる群から選択されるオリゴデオキシヌクレオチドのみからなる、請求項9に記載の医薬組成物。
【請求項１１】
黒色腫の治療に使用するための医薬組成物を製造するための、黒色腫細胞中のクラステリンの有効量を減少させるのに有効な治療薬を含む組成物の使用。
【請求項１２】
前記治療薬が、黒色腫細胞中のクラステリンの有効量を減少させるのに有効なアンチセンスオリゴデオキシヌクレオチドである、請求項11に記載の使用。
【請求項１３】
前記アンチセンスオリゴデオキシヌクレオチドが、翻訳開始部位又は終結部位のいずれかに対応する、請求項12に記載の使用。
【請求項１４】
前記アンチセンスオリゴデオキシヌクレオチドが、同じ配列の非修飾オリゴデオキシヌクレオチドに比較してインビボでの安定性を増強するように修飾されている、請求項13に記載の使用。
【請求項１５】
前記修飾が（2'-O-(2-メトキシエチル)修飾である、請求項14に記載の使用。
【請求項１６】
前記アンチセンスオリゴデオキシヌクレオチドが、本質的に配列番号2から12からなる群から選択されるオリゴデオキシヌクレオチドのみからなる、請求項12〜15のいずれかに記載の使用。
【請求項１７】
前記アンチセンスオリゴデオキシヌクレオチドが、本質的に配列番号4からなるオリゴデオキシヌクレオチドのみからなる、請求項16に記載の使用。
【請求項１８】
前記オリゴヌクレオチドが全体にチオリン酸骨格を有し、そのヌクレオチド1〜4及び18〜21の糖部分である「ウイング」は、2'-O-メトキシエチル修飾を受けており、残りのヌクレオチドは2'-デオキシヌクレオチドである、請求項17に記載の使用。
【請求項１９】
前記治療薬が、RNAi機構により黒色腫細胞中のクラステリンの有効量を減少させるのに有効なRNA分子である、請求項11に記載の使用。
【請求項２０】
前記RNA分子が、本質的に配列番号20から43からなる群から選択されるオリゴデオキシヌクレオチドのみからなる、請求項19に記載の使用。
【請求項２１】
個体又は細胞系にクラステリン発現量を調節するのに有効な物質を含む、個体又は細胞系におけるbcl-xLの発現を調節するための組成物。
【手続補正２】
【補正対象書類名】明細書
【補正対象項目名】０００９
【補正方法】変更
【補正の内容】
【０００９】
アンチセンスODN治療法
本発明の一態様において、クラステリンの有効量の減少は、アンチセンスODN、特に翻訳開始部位又は終結部位のいずれかに存在するクラステリンmRNAの領域に相補的であるアンチセンスODNの投与により達成される。本発明の方法においてアンチセンス分子として使用できる好的な配列は、PCT公開特許WO 00/49937、米国公開特許US-2002-0128220-A1，及び米国特許No.6,383,808に開示されており、これ等のすべてを許される範囲内において引用により本明細書に取り込む。特異的アンチセンス配列は、この出願中に配列番号2から12として記述されている。
【手続補正書】
【提出日】平成18年11月21日(2006.11.21)
【手続補正１】
【補正対象書類名】特許請求の範囲
【補正対象項目名】請求項１
【補正方法】変更
【補正の内容】
【請求項１】
下記式（Ｉ）
Ａｒ−（ＮＲ１Ｒ２）ｎ        （Ｉ）
の第３級アミンを、下記式（ＩＩ）
Ｈ−ＮＲ１Ｒ２                （ＩＩ）
の第２級アミンと、下記式（ＩＩＩ）
（Ｘ）ｎ−Ａｒ                （ＩＩＩ）
の芳香族アミン又はヘテロ芳香族アミンとを、不活性溶媒中で反応させることによって製造する方法であって、該反応素には、塩基及びニッケル又はパラジウムの化合物及びモノマー状、オリゴマー状及び／又はポリマー状の一般式Ｙ−ＰＲ４Ｒ５のハロ−ホスフィン、一般式（Ｙ）２ＰＲ４のジハロ−ホスフィン、一般式Ｒ３Ｏ−ＰＲ４Ｒ５のアルコキシ−及び／又はアリ−ロキシ−ホスフィン、一般式（Ｒ３Ｏ）２−ＰＲ４のジアルコキシ−及び／又はジアリ−ロキシ−ホスフィン及びそれら相互の混合物の中から選ばれる１つ又はそれ以上のホスフィンを存在させることを特徴とする前記方法。
但し、前記式中、各符号は次の意味を有する。
Ａｒは、炭素数６〜４０のアロマティックス又は炭素数２〜４０ヘテロアロマティックス［それらは、未置換体であることができるし、１つ又はそれ以上の炭素数１〜２０の直鎖状、分岐鎖状又は環状のアルキル−又はアルコキシ基（１つ又はそれ以上の非隣接ＣＨ２−基は、Ｏ、Ｓ、Ｃ＝Ｏ又はカルボキシ基によって置換されていてもよい）又は未置換の炭素数４〜２０のアリール−又はヘテロアリール基、フッ素又はシアノ−もしくはニトロ基によって置換されていてもよい］を示す。
Ｒ１及びＲ２は、同一又は異なっていてもよく、炭素数１〜２０の直鎖状、分岐鎖状又は、モノ−、ビ−、トリ−又はポリ−環状の脂肪族基（窒素が環の一部を形成していてもよく、さらに１つ又はそれ以上の非隣接ＣＨ２−基は、ＮＲ４、Ｏ、Ｓ、Ｃ＝Ｏ又はカルボキシ基によって置換されていてもよい）又は炭素数６〜４０のアロマティックスもしくは炭素数２〜４０のヘテロアロマティックス［それらは未置換体であっても、１つ又はそれ以上の、炭素数１〜２０の直鎖状、分岐鎖状又は環状のアルキル−又はアルコキシ基（１つ又はそれ以上の非隣接ＣＨ２−基は、Ｏ、Ｓ、Ｃ＝Ｏ又はカルボキシ基によって置換されていてもよい）又は炭素数４〜２０のアリール−又はヘテロアリール基、フッ素又はシアノ−もしくはニトロ基によって置換されていてもよい］を示す。
Ｒ３は、炭素数１〜１２の直鎖状又は分岐鎖状のアルキル基又は炭素数６〜１２のアリール基を示す。
Ｒ４及びＲ５は、同一又は異なっていてもよく、炭素数１〜１２の直鎖状、分岐鎖状又はモノ−、ジ−又はトリ−環状のアルキル−基（１つ又はそれ以上の非隣接ＣＨ２−基は、Ｏによって置換されていてもよい）又は炭素数４〜１２のアリール−又はヘテロアリール−基［１つ又はそれ以上の炭素数１〜１０の直鎖状、分岐鎖状又は環状のアルキル−又はアルコキシ基（１つ又はそれ以上の非−隣接ＣＨ２−基は、Ｏ、Ｓ、Ｃ＝Ｏ又はカルボキシ基で置換されていてもよい）で置換されていてもよい］を示す。
Ｘは、適当な反応性脱離基を示す。
Ｙは、フッ素、塩素、臭素又はヨウ素を示す。
ｎは、１〜１０の整数を示す。
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
（ａ）約１〜約５重量％の高吸水性ポリマー粒子、及び
（ｂ）約９５〜約９９重量％の水溶性ポリマー水溶液
のブレンドを含む、水性高吸水性ポリマーペースト。
【請求項２】
前記水性高吸水性ポリマーペーストの粘度が約１０００ｍＰａ・ｓ〜約３５，０００ｍＰａ・ｓであることを特徴とする、請求項１の水性高吸水性ポリマーペースト。
【請求項３】
前記水溶性ポリマー水溶液が約０．５〜約５％の固形分量を有することを特徴とする、請求項１の水性高吸水性ポリマーペースト。
【請求項４】
１５ｇ／ｇ乾燥重量以上の吸収能力を有することを特徴とする、請求項１の水性高吸水性ポリマーペースト。
【請求項５】
２０ｇ／ｇ乾燥重量以上の吸収能力を有することを特徴とする、請求項１の水性高吸水性ポリマーペースト。
【請求項６】
４０ｍｌ以上の水道水中でペースト膨張を有することを特徴とする、請求項１の水性高吸水性ポリマーペースト。
【請求項７】
２０ｍｌ以上の０．９％生理食塩水組成物中でペースト膨張を有することを特徴とする、請求項１の水性高吸水性ポリマーペースト。
【請求項８】
７０ｍｌ以上の脱イオン水中でペースト膨張を有することを特徴とする、請求項１の水性高吸水性ポリマーペースト。
【請求項９】
（ａ）モノマーを含有する約５５〜約９９．９重量％の重合可能な不飽和酸基；及び約０．００１〜約５．０重量％の内部架橋剤を含み約２０％を超える中和度を有する組成物；及び
（ｂ）約０．５〜約５％の固形分量を有する約９５〜約９９重量％の水溶性ポリマー水溶
液を含む、水性高吸水性ポリマーペースト。
【請求項１０】
前記水性高吸水性ポリマーペーストの粘度が約１０００ｍＰａ・ｓ〜約３５，０００ｍＰａ・ｓであることを特徴とする、請求項９の水性高吸水性ポリマーペースト。
【請求項１１】
（ａ）基材材料、
（ｂ）（ｉ）約１〜約５重量％の高吸水性ポリマー粒子、及び
（ｉｉ）約９５〜約９９重量％の水溶性ポリマー水溶液
のブレンドを含む水性高吸水性ポリマーペースト
を含むコーティングされた基材。
【請求項１２】
前記水性高吸水性ポリマーペーストの粘度が約１０００ｍＰａ・ｓ〜約３５，０００ｍＰａ・ｓであることを特徴とする、請求項１１のコーティングされた基材。
【請求項１３】
前記水溶性ポリマー水溶液が約０．５〜約５％の固形分量を有することを特徴とする、請求項１１のコーティングされた基材。
【請求項１４】
前記基材が、ポリエチレン、ポリプロピレン、他のポリオレフィン類、ポリアミド、ポリアラミド、ポリエステル、繊維ガラス、カーボン、ポリアクリル酸、レーヨン、綿及び木材パルプなどからなる群から選択される、請求項１１のコーティングされた基材。
【請求項１５】
前記コーティングされた基材が１５ｇ／ｇ乾燥重量の吸収能力を有する、請求項１１のコーティングされた基材。
【請求項１６】
前記コーティングされた基材が２０ｇ／ｇ乾燥重量の吸収能力を有する、請求項１１のコーティングされた基材。
【請求項１７】
前記コーティングされた基材が２５ｇ／ｇ乾燥重量の吸収能力を有する、請求項１１のコーティングされた基材。
【請求項１８】
前記高吸水性ポリマー粒子が、モノマーを含有する約５５〜約９９．９重量％の重合可能な不飽和酸基；及び約０．００１〜約５．０重量％の内部架橋剤を含み約２０％を超える中和度を有する組成物を含む、請求項１１のコーティングされた基材。
【請求項１９】
（ａ）高吸水性ポリマー粒子及び水溶性ポリマー水溶液を含む分散物を調製する工程；（ｂ）基材と前記分散物とを接触させて、前記基材の上に前記分散物のコーティング層を形成する工程；及び
（ｃ）前記コーティング層を水膨潤可能な半ゲル状コーティング層を形成するのに十分な時間熱硬化する工程
を含む、コーティングされた基材を作成するための方法。
【請求項２０】
前記基材が、ポリエチレン、ポリプロピレン、他のポリオレフィン類、ポリアミド、ポリアラミド、ポリエステル、繊維ガラス、カーボン、ポリアクリル酸、レーヨン、綿及び木材パルプなどからなる群から選択される、請求項１９の方法。
【請求項２１】
約１〜約５重量％の高吸水性ポリマー粒子、及び約９５〜約９９重量％の水溶性ポリマー水溶液の分散物を含む水性高吸水性ポリマーペーストを含む水膨潤可能なコーティングであって、前記水膨潤可能なコーティングが約０．５〜約５％、好ましくは約１〜約３％の固形分量を有する大量の水を吸収し、保持することができる、水膨潤可能なコーティング。
【請求項２２】
前記高吸水性ポリマー粒子が約１５０〜約８００ミクロンの平均粒子径を有する、請求項２１の水膨潤可能なコーティング組成物。
【請求項２３】
水性高吸水性ポリマーペーストを作成する方法であって、当該方法は、
（ａ）少なくとも１つのモノマーから形成され、そのプレ高吸水性ポリマーが加熱されて高吸水性ポリマーになることが可能な、高吸水性ポリマーの水溶液を調製する工程；及び（ｂ）約１〜約５重量％の高吸水性ポリマーと約９５〜約９９重量％の水溶性ポリマー水溶液とを十分にブレンドすることによってペーストを調製する工程
を含む、方法。
【請求項２４】
基材上にコーティングされる場合、後の熱処理が約７５℃〜約２００℃の範囲内で行われることを特徴とする、請求項２３の方法。
【請求項２５】
井戸の削井、完成又は改修作業中、地下層の流路内への循環液の喪失を減らすための方法であって、当該方法は：
（ａ）ａ）約１〜約５重量％の高吸水性ポリマー粒子、及び
ｂ）約３００〜約６００ミクロンの範囲にある平均粒子径を有する約９５〜約９９重量％の高吸水性ポリマー粒子のブレンドを含み、有効量の乾燥した固体の水不溶性であるがゲル形成性で水膨潤可能な水性高吸水性ポリマーペーストを坑口に直接導入する工程；および
（ｂ）前記水性高吸水性ポリマーペーストを逸泥ゾーンに入れ、前記水性高吸水性ポリマーペーストを前記ゾーン中に保持し、上述の重量の水を吸収させ、適切な体積まで膨潤させ、それによって亀裂を密閉し、井戸の削井の再開、完成又は改修作業の際に前記循環液の喪失を減らす工程
を含む、方法。
【手続補正２】
【補正対象書類名】明細書
【補正対象項目名】００１３
【補正方法】変更
【補正の内容】
【００１３】
本発明はさらに、（ａ）高吸水性ポリマー粒子及び水溶性ポリマー水溶液を含む分散物を調製する工程；（ｂ）基材と上記分散物とを接触させて、上記基材の上に上記分散物のコーティング層を形成する工程；及び（ｃ）上記コーティング層を水膨潤可能な半ゲル状コーティング層を形成するのに十分な時間熱硬化する工程を含む、コーティングされた基材を作成するための方法に関する。
【手続補正書】
【提出日】平成19年4月26日(2007.4.26)
【手続補正１】
【補正対象書類名】明細書
【補正対象項目名】００６２
【補正方法】変更
【補正の内容】
【００６２】
実施例に記載した試験のための高粘度ポリエチレンテレフタレート溶融物は、例えば欧州特許第０  ３２０  ５８６号明細書に記述されているようなＨＶＳＲ（Ｈｉｇｈ  Ｖｉｓｃｏｓｉｔｙ  Ｓｅｌｆ−ｃｌｅａｎｉｎｇ  Ｒｅａｃｔｏｒ（高粘度自己洗浄型反応器））型の連続運転式重縮合反応器中で製造した。この反応器は、回転軸および壁面に付着している高粘度溶融物を規則的に回収して工程に戻す特別に成形された加熱可能なパドルをもつ内側に横たわる回転軸および組込まれた固定子を有する。０．６２ｄｌ／ｇのＩ．Ｖ．をもつ、炭酸含有果汁の充填のためのボトルの製造のために市販の顆粒から出発した。この顆粒を乾燥し、そしてＨｕｓｓｍａｎｎ社の一軸式スクリュー型押出成形機中で溶融し、連続的にＨＶＳＲに供給し、そしてそこで約２０ｋｇ／ｈの処理量で、０．１〜０．５ｍｂａｒの圧力および２７５℃〜２８０℃の温度で、０．８０〜０．８４ｄｌ／ｇの粘度、約３０ｐｐｍのアセトアルデヒド値および−３〜−４のｂ−カラー値まで穏やかに縮合した。ギア付きポンプによって、この生成物を、Ｓｕｌｚｅｒ社のＳＭＸ型のスタテックミキサー要素を装備した溶融物用導管を通して、同時に２種の予備成形物を成形し得る２キャビティー型装置（２−Ｋａｖｉｔａｅｔｅｎ−Ｗｅｒｋｚｅｕｇ）で改変された混合区間をもつ改変された予備成形機ＸＬ  １６０に直接的に連続供給しそして予備成形物に加工した。
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
顔料の光学的特性を改善する有機顔料の粒度絞りの方法であって、
（ａ）
ｉ）１種以上の粗製有機顔料１０〜６０重量％、
ｉｉ）水溶性スチレンコポリマー分散剤、粗製有機顔料の乾燥重量に対して０．１〜２５重量％、
ｉｉｉ）場合により消泡剤０．１〜１．０重量％、
ｉｖ）場合により添加剤、粗製有機顔料の乾燥重量に対して０．１〜５．０重量％、および
ｖ）水１０重量％を超える量
を含む混合物をミリングし（成分ｉ）、ｉｉｉ）およびｖ）の重量パーセントは、混合物の全重量に対する値である）、
（ｂ）有機顔料を分離する、方法。
【請求項２】
請求項１記載の方法によって調製された顔料組成物。
【請求項３】
粗製β−またはγ−キナクリドン顔料結晶を、βまたはγ結晶相を維持しながらの粒度絞り方法であって、
２，９−ジクロロキナクリドンを含むミリング組成物を、粗製β−またはγ−キナクリドンと混ぜ合わせ、
２，９−ジクロロキナクリドンの重量％が、粗製βまたはγ顔料の乾燥重量に対して０．１〜５．０重量％であり、
β−またはγ−キナクリドンが所望の顔料粒度に達するまでミリングする、方法。
【請求項４】
β−またはγ−キナクリドン顔料結晶を、β結晶相またはγ結晶相を維持しながらこれらの顔料の光学的特性を改善する粒度絞り方法であって、
（ａ）
ｉ）β−またはγ−キナクリドンと共に、β−またはγ−顔料の乾燥重量に対して０．１〜５．０重量％である２，９−ジクロロキナクリドンを含む組成物１０〜６０重量％、
ｉｉ）水溶性スチレンコポリマー分散剤、β−またはγ−キナクリドンと共に２，９−ジクロロキナクリドンを含む組成物の乾燥重量に対して０．１〜２５重量％、
ｉｉｉ）場合により消泡剤０．１〜１．０重量％、
ｉｖ）場合により添加剤、β−またはγ−キナクリドンと共に２，９−ジクロロキナクリドンを含む組成物の乾燥重量に対して０．１〜５．０重量％、および
ｖ）水１０重量％を超える量
を含む混合物をミリングし（成分ｉ）、ｉｉｉ）およびｖ）の重量パーセントが、混合物の全重量に対する値である）、
（ｂ）β−またはγ−キナクリドン顔料結晶を分離する、方法。
【請求項５】
請求項３記載の方法により粒度絞りされたγ−またはβ−キナクリドンを組み込まれた高分子量有機材料。
【請求項６】
請求項３記載の方法により得られた粒度絞りされたγ−またはβ−キナクリドンの有効顔料量を組み込むことを含む、高分子量有機材料を着色する方法。
【請求項７】
粒度絞り方法の間にβ−および／またはγ−キナクリドンのβおよび／またはγ結晶相を保持する結晶相抑制剤としての２，９−ジクロロキナクリドンの使用。
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
創傷を有する被験体の皮膚において瘢痕を減少させるための組成物であって、該組成物は、発現カセットを含むポリヌクレオチドを含み、該発現カセットはｐ２１ＷＡＦ１／Ｃｉｐ１をコードするポリヌクレオチドに作動可能に連結されたプロモーターを含む、組成物。
【請求項２】
前記ＤＮＡがベクターの一部であることを特徴とする、請求項１に記載の組成物。
【請求項３】
前記ベクターがウイルスベクターである、請求項２に記載の組成物。
【請求項４】
前記ウイルスベクターがアデノウイルスベクターである、請求項３に記載の組成物。
【請求項５】
前記アデノウイルスベクターが複製能欠失アデノウイルスベクターである、請求項４に記載の組成物。
【請求項６】
前記組成物の投与が、未処置の創傷における瘢痕と比較して、前記創傷におけるケロイドまたは肥大性瘢痕を減少させることを特徴とする、請求項１に記載の組成物。
【請求項７】
前記アデノウイルスベクターが前記創傷１ｃｍ２あたり１０５〜１０９粒子数（ＰＮ）の用量で投与されることを特徴とする、請求項４に記載の組成物。
【請求項８】
前記ベクターが生体適合性マトリックス中で投与されることを特徴とする、請求項１に記載の組成物。
【請求項９】
請求項８に記載の組成物であって、ここで前記マトリックスは、膠原性の組成物、金属組成物、ヒドロキシアパタイト組成物、バイオガラス組成物、アルミン酸塩組成物、バイオセラミック物質組成物、精製されたタンパク質の組成物または細胞外マトリックス組成物を含む、組成物。
【請求項１０】
前記マトリックスが膠原マトリックスである、請求項８に記載の組成物。
【請求項１１】
前記皮膚が火傷をしている、請求項１に記載の組成物。
【請求項１２】
発現カセットおよび薬学的に受容可能な賦形剤を含む薬学的組成物であって、ここで該組成物は局所的投与に適し、そして該発現カセットはｐ２１ＷＡＦ１／Ｃｉｐ１をコードするポリヌクレオチドに作動可能に連結されたプロモーターを含む、薬学的組成物。
【請求項１３】
前記発現カセットが生体適合性マトリックスに含まれる、請求項１２に記載の薬学的組成物。
【請求項１４】
前記マトリックスが前記発現カセットを含むウイルスベクターを含む、請求項１２に記載の薬学的組成物。
【請求項１５】
前記ウイルスベクターがアデノウイルスベクターである、請求項１４に記載の薬学的組成物。
【請求項１６】
前記アデノウイルスベクターが複製能欠失アデノウイルスベクターである、請求項１５に記載の薬学的組成物。
【請求項１７】
請求項１２に記載の薬学的組成物であって、前記マトリックスが、膠原性の組成物、金属組成物、ヒドロキシアパタイト組成物、バイオガラス組成物、アルミン酸塩組成物、バイオセラミック物質組成物、精製されたタンパク質の組成物または細胞外マトリックス組成物を含む、薬学的組成物。
【請求項１８】
前記マトリックスが膠原マトリックスである、請求項１２に記載の薬学的組成物。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
哺乳類Rhoファミリータンパク質によって媒介される適応症を処置する為の薬剤であって、式（IIa）：
【化１】
2007512363.tif 000001
（IIa）
［式中、
R1〜R2は、H、-X-Alk、-X-Alk-X'、および-X-Y-X'からなる群より独立して選択され、ここに、
Xは-CR7R8であり、
X'は-CHR7R8であり、
AlkはC2-C18置換または無置換炭化水素鎖であり、
YはC2-C8置換または無置換アルキレン鎖であり、
R6はHまたは（C1-C4）アルキルであり、そして
R7およびR8はHまたは（C1-C4）アルキルからなる群より独立して選択される］
または式（IIa）の化合物の塩を有する、少なくとも一つの化合物を含む薬剤。
【請求項２】
Alkが、ハロ、ハロ（C1-C4）アルコキシ、（C3-C8）シクロアルキル、ヒドロキシ、またはアセチルで置換される、請求項1の薬剤。
【請求項３】
YがNR6基で置換される、請求項1の薬剤。
【請求項４】
化合物が、式（III）：
【化２】
2007512363.tif 000002
（III）
［式中、R10〜R12は、H、ハロ、（C1-C4）アルキル、分岐（C3-C4）アルキル、ハロ（C1-C4）アルキル、（C1-C4）アルコキシ、NO2、およびNH2からなる群より独立して選択される］
または式（III）の化合物の塩である、請求項1の薬剤。
【請求項５】
R10〜R12が、H、（C1- C4）アルキル、または分岐（C3-C4）アルキルからなる群より独立して選択される、請求項4の薬剤。
【請求項６】
化合物が、式（IV）：
【化３】
2007512363.tif 000003
（IV）
または医薬的に許容できるその塩である、請求項1の薬剤。
【請求項７】
哺乳類RhoファミリーGTPアーゼが、RhoA、RhoB、RhoC、RhoD、RhoE/Rnd3、Rnd1/Rho6、Rnd2/Rho7、RhoG、Rac1、Rac2、Rac3、Cdc42、TC10、TTF/RhoH、RhoL、Chp、WRCH1、TCL、RIF、およびそれらの組合せからなる群より選択される、請求項1に記載の薬剤。
【請求項８】
Rho GTPアーゼが、Rac1、Rac2、Rac3、およびそれらの組合せからなる群より選択される、請求項7に記載の薬剤。
【請求項９】
Rho GTPアーゼがRac1である、請求項8に記載の薬剤。
【請求項１０】
化合物がRac GTPアーゼとの相互作用によってRho調節経路と相互作用する、請求項1に記載の薬剤。
【請求項１１】
Rac GTPアーゼがRac1、Rac2、およびRac3からなる群より選択される、請求項10に記載の薬剤。
【請求項１２】
Rac GTPアーゼがRac1である、請求項10に記載の薬剤。
【請求項１３】
適応症が白血病、前立腺癌、卵巣癌、膵癌、肺癌、乳癌、肝癌、頭頸部癌、結腸癌、膀胱癌、非ホジキンリンパ腫癌および黒色腫からなる群より選択される、請求項1に記載の薬剤。
【請求項１４】
適応症が異常細胞増殖である、請求項1に記載の薬剤。
【請求項１５】
適応症が癌細胞増殖である、請求項1に記載の薬剤。
【請求項１６】
適応症が高血圧、アテローム性動脈硬化、再狭窄、脳虚血、脳血管痙攣、ニューロン変性、脊髄傷害、乳房、結腸、前立腺、卵巣、脳または肺の癌、血栓性障害、喘息、緑内障、骨粗鬆症および勃起機能障害からなる群より選択される、請求項1に記載の薬剤。
【請求項１７】
哺乳類Rhoファミリータンパク質によって媒介される適応症を処置するための医薬の製造における、式（IIa）：
【化４】
2007512363.tif 000004
（IIa）
［式中、
R1〜R2は、H、-X-Alk、-X-Alk-X'、および-X-Y-X'からなる群より独立して選択され、ここに、
Xは-CR7R8であり、
X'は-CHR7R8であり、
AlkはC2-C18置換または無置換炭化水素鎖であり、
YはC2-C8置換または無置換アルキレン鎖であり、
R6はHまたは（C1-C4）アルキルであり、そして
R7およびR8はHまたは（C1-C4）アルキルからなる群より独立して選択される］
または式（IIa）の化合物の塩を有する化合物の使用。
【請求項１８】
N6-（2-（（4-（ジエチルアミノ）-1-メチルブチル）アミノ）-6-メチル-4-ピリミジニル）-2-メチル-4,6-キノリンジアミンおよび医薬的に許容できる担体を含む医薬組成物。
【請求項１９】
N6-（2-（（4-（ジエチルアミノ）-1-メチルブチル）アミノ）-6-メチル-4-ピリミジニル）-2-メチル-4,6-キノリンジアミン化合物が少なくとも1重量％である、請求項18に記載の医薬組成物。
【請求項２０】
追加の医薬活性剤をさらに含む、請求項18に記載の医薬組成物。
【請求項２１】
第2医薬活性剤が、ファルネシルタンパク質トランスフェラーゼ阻害剤、プレニル-タンパク質トランスフェラーゼ阻害剤、ゲラニルゲラニル-タンパク質トランスフェラーゼ阻害剤、毒素およびそれらの組合せからなる群より選択される、請求項20に記載の医薬組成物。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
薬剤として許容される担体、並びにプロパルギルアミン、プロパルギルアミン誘導体又は薬剤として許容されるそれらの塩から選択される有効物質を含む、心臓血管障害又は疾患を予防及び／又は治療するための薬剤組成物。
【請求項２】
うっ血性心不全、心房及び心室の肥大を含む心肥大、心筋梗塞、心筋虚血、心筋の虚血及び再灌流、又は不整脈を予防及び／又は治療するための、請求項１に記載の薬剤組成物。
【請求項３】
前記有効物質が、Ｎ−プロパルギル−１−アミノインダン、その鏡像異性体、その類似体、又は前述のものの薬剤として許容される塩から選択される、請求項１又は２に記載の薬剤組成物。
【請求項４】
前記有効物質が、鏡像異性体のＲ（＋）−Ｎ−プロパルギル−１−アミノインダン又はＳ−（−）−Ｎ−プロパルギル−１−アミノインダンである、請求項３に記載の薬剤組成物。
【請求項５】
前記有効物質が、Ｒ（＋）−Ｎ−プロパルギル−１−アミノインダンの薬剤として許容される塩である、請求項３に記載の薬剤組成物。
【請求項６】
前記薬剤として許容される塩が、Ｒ（＋）−Ｎ−プロパルギル−１−アミノインダンのメシレート塩、エシレート塩、硫酸塩、又は塩酸塩から選択される、請求項５に記載の薬剤組成物。
【請求項７】
前記Ｎ−プロパルギル−１−アミノインダンの類似体が、４−フルオロ−Ｎ−プロパルギル−１−アミノインダン、５−フルオロ−Ｎ−プロパルギル−１−アミノインダン、６−フルオロ−Ｎ−プロパルギル−１−アミノインダン、それらの鏡像異性体、又は薬剤として許容されるそれらの付加塩から選択される、請求項３に記載の薬剤組成物。
【請求項８】
前記Ｎ−プロパルギル−１−アミノインダンの類似体が、（ｒａｃ）−３−（Ｎ−メチル，Ｎ−プロピル−カルバミルオキシ）−α−メチル−Ｎ’−プロパルギルフェネチルアミンＨＣｌ、（ｒａｃ）−３−（Ｎ，Ｎ−ジメチル−カルバミルオキシ）−α−メチル−Ｎ’−メチル，Ｎ’−プロパルギルフェネチルアミンＨＣｌ、（ｒａｃ）−３−（Ｎ−メチル，Ｎ−ヘキシル−カルバミルオキシ）−α−メチル−Ｎ’−メチル，Ｎ’−プロパルギルフェネチルアミンメシレート、（ｒａｃ）−３−（Ｎ−メチル，Ｎ−シクロヘキシル−カルバミルオキシ）−α−メチル−Ｎ’−メチル，Ｎ’−プロパルギルフェネチルアミンＨＣｌ、又は（Ｓ）−３−（Ｎ−メチル，Ｎ−ヘキシル−カルバミルオキシ）−α−メチル−Ｎ’−メチル，Ｎ’−プロパルギルフェネチルアミンエタンスルホン酸塩から選択される、請求項３に記載の薬剤組成物。
【請求項９】
前記Ｎ−プロパルギル−１−アミノインダンの類似体が、（ｒａｃ）６−（Ｎ−メチル，Ｎ−エチル−カルバミルオキシ）−Ｎ’−プロパルギル−１−アミノインダンＨＣｌ、（ｒａｃ）６−（Ｎ，Ｎ−ジメチル，カルバミルオキシ）−Ｎ’−メチル−Ｎ’−プロパルギル−１−アミノインダンＨＣｌ、（ｒａｃ）６−（Ｎ−メチル，Ｎ−エチル−カルバミルオキシ−Ｎ’−プロパルギル−１−アミノテトラリンＨＣｌ、（ｒａｃ）６−（Ｎ，Ｎ−ジメチル−チオカルバミルオキシ）−１−アミノインダンＨＣｌ、（ｒａｃ）６−（Ｎ−プロピル−カルバミルオキシ−Ｎ’−プロパルギル−１−アミノインダンＨＣｌ、（ｒａｃ）５−クロロ−６−（Ｎ−メチル，Ｎ−プロピル−カルバミルオキシ）−Ｎ’−プロパルギル−１−アミノインダンＨＣｌ、（Ｓ）−６−（Ｎ−メチル），Ｎ−プロピル−カルバミルオキシ）−Ｎ’−プロパルギル−１−アミノインダンＨＣｌ、及び（Ｒ）−６−（Ｎ−メチル，Ｎ−エチル−カルバミルオキシ）−Ｎ’−プロパルギル−１−アミノインダンヘミ−（Ｌ）−酒石酸塩、又は６−（Ｎ−メチル，Ｎ−エチル−カルバミルオキシ）−Ｎ’−メチル，Ｎ’−プロパルギル−１−アミノインダンからなる群から選択される、請求項３に記載の薬剤組成物。
【請求項１０】
前記有効物質が脂肪族プロパルギルアミンである、請求項１又は２に記載の薬剤組成物。
【請求項１１】
前記脂肪族プロパルギルアミンが、Ｎ−（１−ヘプチル）プロパルギルアミン、Ｎ−（１−オクチル）プロパルギルアミン、Ｎ−（１−ノニル）プロパルギルアミン、Ｎ−（１−デシル）プロパルギル−アミン、Ｎ−（１−ウンデシル）プロパルギルアミン、Ｎ−（１−ドデシル）プロパルギルアミン、Ｒ−Ｎ−（２−ブチル）プロパルギルアミン、Ｒ−Ｎ−（２−ペンチル）プロパルギルアミン、Ｒ−Ｎ−（２−ヘキシル）プロパルギルアミン、Ｒ−Ｎ−（２−ヘプチル）プロパルギルアミン、Ｒ−Ｎ−（２−オクチル）プロパルギルアミン、Ｒ−Ｎ−（２−ノニル）プロパルギルアミン、Ｒ−Ｎ−（２−デシル）プロパルギルアミン、Ｒ−Ｎ−（２−ウンデシル）プロパルギルアミン、Ｒ−Ｎ−（２−ドデシル）プロパルギルアミン、Ｎ−（１−ブチル）−Ｎ−メチルプロパルギル−アミン、Ｎ−（２−ブチル）−Ｎ−メチルプロパルギルアミン、Ｎ−（２−ペンチル）−Ｎ−メチルプロパルギル−アミン、Ｎ−（１−ペンチル）−Ｎ−メチルプロパルギルアミン、Ｎ−（２−ヘキシル）−Ｎ−メチルプロパルギル−アミン、Ｎ−（２−ヘプチル）−Ｎ−メチルプロパルギルアミン、Ｎ−（２−デシル）−Ｎ−メチルプロパルギル−アミン、Ｎ−（２−ドデシル）−Ｎ−メチルプロパルギルアミン、Ｒ（−）−Ｎ−（２−ブチル）−Ｎ−メチル−プロパルギルアミン、又は薬剤として許容されるそれらの塩から選択される、請求項１０に記載の薬剤組成物。
【請求項１２】
前記有効物質が、セレギリン、デスメチルセレギリン、パルギリン、又はクロルギリンからなる群から選択される、請求項１又は２に記載の薬剤組成物。
【請求項１３】
前記有効物質が、化合物（Ｎ−メチル−Ｎ−プロパルギル−１０−アミノメチル−ジベンゾ［ｂ，ｆ］オキセピンである、請求項１又は２に記載の薬剤組成物。
【請求項１４】
前記有効物質が、プロパルギルアミン又は薬剤として許容されるその塩である、請求項１又は２に記載の薬剤組成物。
【請求項１５】
静脈内、経口、経腸、経皮、又は非経口投与のための、請求項１から１４までのいずれか一項に記載の薬剤組成物。
【請求項１６】
心臓血管疾患又は障害の予防及び／又は治療のための薬剤組成物を調製するための、プロパルギルアミン、プロパルギルアミン誘導体、又は薬剤として許容されるそれらの塩から選択される有効物質の使用。
【請求項１７】
うっ血性心不全、心房及び心室の肥大を含む心肥大、心筋梗塞、心筋虚血、心筋の虚血及び再灌流、又は不整脈を予防及び／又は治療するための、請求項１６に記載の使用。